(57)【要約】【課題】高い遮熱効果及び断熱効果とを有する建造物の断熱壁構造と、このような断熱壁構造を備えた建造物を提供する。【解決手段】施工対象壁を構成する各種の構造材、例えば土台１１と軒桁１４の外周に遮熱シートを巻き掛け、施工対象壁を構成する各種の構造材の屋外側の面及び屋内側の面の双方に遮熱シート３１を張り付ける。これにより、土台１１及び軒桁１４と遮熱シート３１とによって囲まれる空間を、熱の対流及び伝導を抑制する遮熱密閉空気層４０とする。遮熱シート３１としては、プラスチック製のベース材３１１の少なくとも片面に、アルミニウム箔からなる電磁波の反射層３１２を形成したものを用いる。【選択図】図２
2018123557.tif 000002
【特許請求の範囲】
【請求項１】
各種の構造材の組み合わせにより構成される外皮面である施工対象壁に、電磁波の反射層を有する遮熱シートを張り付けてなる建造物の断熱壁構造において、
前記施工対象壁を構成する各種の構造材の屋外側の面及び屋内側の面の双方に前記遮熱シートを張り付け、前記施工対象壁を構成する各種の構造材と前記遮熱シートとによって囲まれる空間を、熱の対流及び伝導を抑制する遮熱密閉空気層としたことを特徴とする建造物の断熱壁構造。
【請求項２】
前記施工対象壁を構成する各種の構造材の最外周に前記遮熱シートを巻き掛けて、前記施工対象壁を構成する各種の構造材の屋外側の面及び屋内側の面の双方に前記遮熱シートを張り付けることを特徴とする請求項１に記載の建造物の断熱壁構造。
【請求項３】
前記施工対象壁を構成する外壁材と前記遮熱シートとの間、及び、前記施工対象壁を構成する内壁材と前記遮熱シートとの間に、通気層を形成したことを特徴とする請求項１又は請求項２に記載の建造物の断熱壁構造。
【請求項４】
前記施工対象壁を構成する前記外壁材と前記内壁材との間に、それぞれ通気層を介して複数の前記遮熱密閉空気層を並列に配置したことを特徴とする請求項３に記載の建造物の断熱壁構造。
【請求項５】
前記遮熱シートは、プラスチック製のベース材の少なくとも片面に、前記反射層としてアルミニウム箔を積層したものであることを特徴とする請求項１乃至請求項４のいずれか１項に記載の建造物の断熱壁構造。
【請求項６】
前記遮熱シートを構成する前記プラスチック製のベース材は、前記施工対象壁の断熱性能を高めるための発泡プラスチックシートと、前記反射層であるアルミニウム箔の平滑性を高めるための平滑プラスチックシートとの積層体からなることを特徴とする請求項５に記載の建造物の断熱壁構造。
【請求項７】
各種の構造材の組み合わせにより構成される外皮面である施工対象壁に、電磁波の反射層を有する遮熱シートを張り付けてなる断熱壁構造を備えた建造物において、
断熱壁構造は、前記施工対象壁を構成する各種の構造材の屋外側の面及び屋内側の面の双方に前記遮熱シートが張り付けられ、前記施工対象壁を構成する各種の構造材と前記遮熱シートとによって囲まれる空間が、熱の対流及び伝導を抑制する遮熱密閉空気層となっていることを特徴とする断熱壁構造を備えた建造物。
【請求項８】
前記施工対象壁を構成する外壁材と前記遮熱シートを構成する前記反射層との間、及び前記施工対象壁を構成する内壁材と前記遮熱シートを構成する前記反射層との間に通気層を形成すると共に、前記通気層内の空気を建造物の外部に強制的に排出する排気手段を備えたことを特徴とする請求項７に記載の断熱壁構造を備えた建造物。
【発明の詳細な説明】
【技術分野】
【０００１】
本発明は、建造物の断熱壁構造及び断熱壁構造を備えた建造物に関する。
【背景技術】
【０００２】
近年の建造物には、夏季及び冬季のいずれにおいても快適な生活空間を提供でき、かつ室内の冷暖房に要するエネルギー消費量を低減するため、高い断熱性能及び気密性能を有することが求められる。建造物における熱の移動は、輻射によるものが約７５％、対流によるものが約２０％、伝導によるものが約５％とされているので、建造物の断熱性能を高めるためには、建造物の壁構造内にガラスウール等の断熱材を嵌めこむよりも、建造物の壁面に電磁波の反射層を備えた遮熱シートを張る方が有効である。また、建造物の断熱性能を高めるためには、壁構造内に密封された空気層（遮熱密閉空気層）を形成することも有効である。更に、建造物の断熱性能を高めるためには、建造物の壁構造を構成する外壁材と内壁材との間に通気層を設けて、室内の暖気及び冷気を速やかに外気に放出できるようにすることも有効である。
【０００３】
このようなことから、従来、建造物の壁構造を構成する外壁材と内壁材との間に、通気層を構成するための立体ネット材と、遮熱密閉空気層として機能する気泡を含む合成樹脂発泡シート層及び電磁波の反射層として機能する金属蒸着材層を備えた断熱シート材と、を張り付けた断熱壁構造が提案されている（例えば、特許文献１参照。）。
【先行技術文献】
【特許文献】
【０００４】
【特許文献１】特許第５１６２４３４号公報
【発明の概要】
【発明が解決しようとする課題】
【０００５】
しかしながら、従来技術は、金属蒸着材層を室外側又は室内側のいずれか一方に向けて断熱シート材を施工する構成であるので、輻射による熱の移動を十分に抑制することができず、建造物の遮熱効果が不十分であって、この点に改善の余地がある。
【０００６】
また、従来技術は、合成樹脂発泡シート層中に含まれる気泡を遮熱密閉空気層として機能させる構成であるので、遮熱密閉空気層の厚みが不十分であり、対流及び伝導による熱の移動を十分に抑制することができず、この点からも十分な断熱効果を発揮することが困難である。
【０００７】
本発明は、このような従来技術の問題を解決するためになされたものであり、高い遮熱効果及び断熱効果とを有する建造物の断熱壁構造と、このような断熱壁構造を備えた建造物を提供することを目的とする。
【課題を解決するための手段】
【０００８】
このような従来技術の課題を解決するため、本発明の一態様は、各種の構造材の組み合わせにより構成される外皮面である施工対象壁に、電磁波の反射層を有する遮熱シートを張り付けてなる建造物の断熱壁構造において、前記施工対象壁を構成する各種の構造材の屋外側の面及び屋内側の面の双方に前記遮熱シートを張り付け、前記施工対象壁を構成する各種の構造材と前記遮熱シートとによって囲まれる空間を、熱の対流及び伝導を抑制する遮熱密閉空気層としたことを特徴とする。
【発明の効果】
【０００９】
本発明によれば、外皮面である施工対象壁を構成する構造材の屋外側及び屋内側の双方に遮熱シートを配置するので、屋外側からの輻射による熱の移動及び屋内側からの輻射による熱の移動を抑制できる。また、本発明によれば、屋外側の遮熱シートと屋内側の遮熱シートとの間に施工対象壁を構成する構造材の幅を有する大きな遮熱密閉空気層を形成できるので、対流及び伝導による熱の移動も効率的に抑制できる。よって、遮熱シートに備えられた反射層による輻射熱の遮断効果と、遮熱密閉空気層による対流熱及び伝導熱の遮断効果との相乗効果により、遮熱効果の高い断熱壁構造とすることができる。上記した以外の課題、構成及び効果は、以下に記載する実施形態の説明により明らかにされる。
【図面の簡単な説明】
【００１０】
【図１】実施形態に係る断熱壁構造を備えた建造物の断面図である。
【図２】実施形態に係る建造物を構成する外側壁の第１例を示す断面図である。
【図３】実施形態に係る建造物を構成する屋根裏壁の第１例を示す断面図である。
【図４】実施形態に係る各種の遮熱シートの層構造を例示する図である。
【図５】実施形態に係る建造物を構成する外側壁の第２例を示す断面図である。
【図６】実施形態に係る建造物を構成する屋根裏壁の第２例を示す断面図である。
【図７】実施形態に係る遮熱シートの構造材への巻き掛け方法の一例を示す要部断面図である。
【図８】実施形態に係る建造物を構成する外側壁の第３例を示す断面図である。
【図９】実施形態に係る建造物を構成する屋根裏壁の第３例を示す断面図である。
【図１０】実施形態に係る建造物を構成する外側壁の第４例を示す断面図である。
【発明を実施するための形態】
【００１１】
以下、本発明に係る建造物の断熱壁構造及び断熱壁構造を備えた建造物の実施形態を、実施例毎に図を用いて説明する。なお、本発明の範囲は、以下に記載する実施形態の範囲に限定されるものではなく、本発明の要旨を逸脱しない範囲で様々に設計変更を加えて実施されるものを含むことは勿論である。
【００１２】
〈実施例１〉
実施例１に係る断熱壁構造を備えた建造物１は、図１に示すように、屋根裏スペースを有する一階建ての在来木造構造躯体からなる一般住宅であって、地表に掘削された根刈りの底面（根刈り底）に敷き詰められた砕石層２と、砕石層２の表面を覆う遮熱シート３と、遮熱シート３上に打設された基礎コンクリート４と、基礎コンクリート４の外周を覆う基礎断熱シート５とをもって基礎が構成されている。
【００１３】
遮熱シート３としては、防湿性に優れたプラスチックシートの片面又は両面に電磁波の反射層が形成されたものが用いられる。プラスチックシートの片面に電磁波の反射層が形成された遮熱シート３を用いる場合には、反射層を上向きにして砕石層２の表面を遮熱シート３で覆う。遮熱シート３の具体的構成については、後に図４を用いて詳細に説明する。これに対して、基礎断熱シート５としては、断熱性に優れたポリスチレンフォーム等のプラスチックシートが用いられる。従って、本例の建造物１は、床下からの熱損失が抑制され、屋内においては冷暖房器具から供給される熱量の蓄冷効果及び畜暖効果が高められて、建造物１全体の省エネ性能が高められると共に、基礎部分から屋内への湿気の侵入を抑制できる。
【００１４】
基礎コンクリート４の立上り部分４ａの上面には、土台１１を介して複数本の柱１２が立てられる。これら複数本の柱１２は、胴差し１３、軒桁１４及び図示しない梁、棟木、母屋、間柱、管柱及び筋交い等をもって、所要の耐震性を有するように組み立てられる。なお、本明細書においては、建造物１の骨組みを構成するこれらの土台１１、柱１２、胴差し１３、軒桁１４、梁、棟木、母屋、間柱、管柱及び筋交い等の木材を総称して「構造材」という。
【００１５】
基礎コンクリート４の底盤部分４ｂの上方には、床束１５ａを介して床材を支えるための根太１５が取り付けられており、根太１５の両端は土台１１に連結されている。根太１５の上面には、構造用合板１６が張られ、当該構造用合板１６の上面には、フローリング材１７が張られている。
【００１６】
また、柱１２の上方には、天井板取付用の複数本の桟木１８が設けられ、当該桟木１８には、天井板１９が張られている。天井板１９には、建造物１の１階部分と屋根裏スペース２３とを連通するための換気孔２０が開口されており、建造物１の１階部分及び屋根裏スペース２３の暖機又は冷気を、後述する換気窓及び／又は換気扇を通して外気に放出できるようになっている。
【００１７】
加えて、柱１２の更に上方には、格子状の床材取付材２１が取り付けられ、当該床材取付材２１には、屋根裏スペース２３の床面を構成するための構造用合板１６が張られている。また、当該構造用合板１６上には、フローリング材２２が張られている。建造物１の１階部分から屋根裏スペース２３には、階段２４を利用して上がることができる。
【００１８】
実施形態に係る建造物１の屋根は、柱１２の最上端部に配置された図示しない棟木及び母屋と、これら棟木及び母屋に差し渡された図示しない垂木と、垂木の上面に張られた野地板２５と、野地板２５の上面に葺かれた屋根材２６とから構成されている。
【００１９】
次に、実施例１に係る断熱壁構造について説明する。
【００２０】
実施例１に係る建造物１の外皮面である外側壁３０Ａは、図１及び図２に示すように、土台１１及び軒桁１４の屋外側の面並びに土台１１及び軒桁１４の屋内側の面に張り付けられた遮熱シート３１と、当該遮熱シート３１の屋外側に通気層３２を介して配置された防火サイディング等の外壁材３３と、遮熱シート３１の屋内側に通気層３４を介して配置された石膏ボード等の内壁材３５とを備えた断熱壁構造になっている。内壁材３５の屋内側の表面には、クロス等の内装材が張られる。なお、建造物１の外皮面とは、壁構造のうち、基礎及び開口部を含まない部分をいう。
【００２１】
屋根裏スペース２３の外側壁には、屋根裏スペース２３内の暖機又は冷気を外部に排出するための換気窓４１が開口されている。また、実施形態に係る建造物１においては、屋根裏スペース２３の外側壁に換気扇４２が設置されている。但し、屋根裏スペース２３の外側壁には、必ずしも換気窓４１及び換気扇４２の双方を備える必要はなく、換気窓４１又は換気扇４２のいずれか一方又を設置すれば足りる。なお、換気窓４１は、遮熱シート３１を換気窓４１の形状に切り抜き、当該切抜き部分の構造材に窓枠を嵌め込むことによって形成できる。また、換気扇４２についても同様であり、遮熱シート３１を換気扇４２の形状に切り抜き、当該切抜き部分の構造材に換気扇４２を嵌め込むことによって設置できる。
【００２２】
屋根裏スペース２３の外側壁に換気窓４１及び換気扇４２等の換気手段を備えると、建造物１内の暖機及び冷気を効率的に外気に放出することができるので、建造物１の省エネ効果を高めることができる。
【００２３】
一方、実施形態に係る建造物１の他の外皮面である天井壁３０Ｂは、図１及び図３に示すように、図示しない棟木及び母屋の屋外側の面並びに棟木及び母屋の屋内側の面に張り付けられた遮熱シート３１と、当該遮熱シート３１の屋外側に通気層３６を介して配置された野地板２５と、野地板２５の上面に葺かれた屋根材２６とを備えた断熱壁構造になっている。天井壁３０Ｂの棟木側には、図示しない棟換気口が設けられ、天井壁３０Ｂの軒桁側には、図示しない軒換気口が設けられる。
【００２４】
なお、構造材に対する遮熱シート３１の固定は、接着テープ、釘又は鋲等を用いて行うことができる。
【００２５】
遮熱シート３１としては、図４（ａ）に示すように、プラスチックシートからなるベース材３１１の片面にアルミニウム箔からなる電磁波の反射層３１２が積層されたもの、或いは、図４（ｂ）に示すように、プラスチックシートからなるベース材３１１の表裏両面にアルミニウム箔からなる電磁波の反射層３１２が積層されたものが用いられる。アルミニウム箔は、アルミニウムの蒸着膜に比べて格段に電磁波の反射効率が高いので、反射層３１２としてアルミニウム箔を備えた遮熱シート３１を用いることにより、建造物１の遮熱効果及び省エネ効果をより一層高めることができる。
【００２６】
ベース材３１１は、単層のプラスチックシートをもって構成することもできるし、複数のプラスチックシートの積層体をもって構成することもできる。図４（ｃ）は、３層に積層されたプラスチックシート３１１ａ、３１１ｂ、３１１ｃの積層体からなるベース材３１１の表裏両面にアルミニウム箔からなる電磁波の反射層３１２が積層されたものを示している。反射層３１２に接する２枚のプラスチックシート３１１ａ、３１１ｃについては、反射層３１２の表面を平滑化して電磁波の反射効率を高めるため、表面が平滑な平滑プラスチックシートが用いられる。これに対して、反射層３１２に接していない中央部のプラスチックシート３１１ｂについては、断熱壁構造の断熱効果をさらに高めるため、発泡プラスチックシートが用いられる。勿論、ベース材３１１を構成するプラスチックシートの層数は、１層以上３層以下に限定されるものではなく、１層以上の任意の数とすることができる。いずれの層構造を有する遮熱シート３１を選択するかは、遮熱シート３１の設置個所や建造物１に要求される断熱性能等に応じて適宜決定することができる。
【００２７】
遮熱シート３１として、ベース材３１１の片面に電磁波の反射層３１２が積層されたものを用いる場合には、電磁波の反射効率を高めるため、反射層３１２を建造物１の屋外側及び屋内側に向けて、所定の構造材に張り付ける。
【００２８】
なお、砕石層２の表面を覆う遮熱シート３としても、図４（ａ）〜（ｃ）に例示した遮熱シート３１を転用することができる。
【００２９】
このように、実施例１に係る建造物１の断熱壁構造は、反射層３１２を建造物１の屋外側及び屋内側に向けて、遮熱シート３１を所定の構造材の屋外側の面及び屋内側の面に張り付けたので、屋外から照射される太陽光などの電磁波が屋外側の反射層３１２によって反射され、輻射による屋外から屋内への熱の移動を抑制できると共に、屋内に設置されたハロゲンランプ等の暖房機器から照射される電磁波が屋内側の反射層３１２によって反射され、輻射による屋内から屋外への熱の移動を抑制できる。
【００３０】
また、実施例１に係る建造物１の断熱壁構造は、反射層３１２を建造物１の屋外側及び屋内側に向けて、遮熱シート３１を所定の構造材の屋外側の面及び屋内側の面に張り付けたので、図２及び図３に示すように、各遮熱シート３１の間に、これが張り付けられる構造材の幅を有する大きな遮熱密閉空気層４０が形成される。従って、この遮熱密閉空気層４０により、対流及び伝導による熱の移動を効果的に抑制することができ、発泡プラスチックシート内に含まれる気泡のみによって対流及び伝導による熱の移動を抑制する従来の断熱壁構造に比べて、建造物１の遮熱効果及び省エネ効果を高めることができる。
【００３１】
更に、実施例１に係る建造物１の断熱壁構造のうち、外側壁３０Ａについては、遮熱シート３１の屋外側の面と外壁材３３との間に通気層３２を設けると共に、遮熱シート３１の屋内側の面と内壁材３５との間に通気層３４を設けるので、図２に示すように、冬季においては通気層３２、３４内の冷気及び湿気を外側壁３０Ａの下方から外気に放出でき、夏季においては、通気層３２、３４内の暖気及び湿気を外側壁３０Ａの上方から外気に放出できる。また、建造物１の１階部分の暖気は、天井板１９に開口された換気孔２０を通って屋根裏スペース２３内に導かれるので、換気窓４１及び／又は換気扇４２を通じて外気に放出できる。よって、通気層を有しない建造物に比べて格段に外皮熱損失を抑制することができ、建造物１の断熱効果、省エネ効果及び調湿効果を高めることができる。
【００３２】
また、天井壁３０Ｂについても、遮熱シート３１の屋外側の面と野地板２５との間に通気層３６を設けるので、図３に示すように、夏季においては、棟換気口及び軒換気口から屋根部の暖機と湿気とが外部に排出され、冬季においては、軒換気口から屋根部の冷機と湿気とが外部に排出される。これにより、高い断熱効果と調湿効果とが発揮される。
【００３３】
なお、上記においては、建造物１の外側壁及び天井壁を例にとって説明したが、建造物１を構成する他の外皮面についても、上記と同様の断熱壁構造とすることができる。これにより、建造物１を構成する外皮面の全体を遮熱シート３１が構造材に張り付けられた断熱壁構造とすることができ、遮熱効果の高い建造物１とすることができる。
【００３４】
また、本発明の要旨は、建造物１を構成する外皮面の全体を遮熱シート３１で覆うことにあるのであって、遮熱シート３１をどの構造材に張り付けるかについては、上述の実施形態に限定されるものではない。遮熱シート３１をどの構造材に巻き掛けるかは、建造物１の構造や、新築であるのか、リフォームであるか等の工事条件に応じて適宜変更することができる。
【００３５】
〈実施例２〉
次に、実施例２に係る建造物１の断熱壁構造について説明する。
【００３６】
実施例２に係る建造物１の外皮面を構成する断熱壁構造は、図５及び図６に示すように、遮熱シート３１をこれが設置される構造材の屋外側の面及び屋外側の面に張り付けるのではなく、構造材の３面に巻き掛けることを特徴とする。
【００３７】
即ち、図５に示すように、実施例２に係る外側壁３０Ａは、土台１１の外面と軒桁１４の外面（図示省略）とに遮熱シート３１が巻き掛けられている。また、図６に示すように、実施例２に係る天井壁３０Ｂは、図示しない棟木と母屋とに遮熱シート３１が巻き掛けられている。その他の部分については、実施例１に係る断熱壁構造と同じであるので、対応する部分に同一の符号を付して説明を省略する。
【００３８】
なお、構造材への遮熱シート３１の巻き掛けに際しては、作業を容易なものにするため、図７に示すように、構造材の３面（図７の例では、土台１１の下面及び左右両側面）を覆うに足る小面積の遮熱シート３１Ａと、壁構造の屋外側及び屋内側の壁面を覆うに足る大面積の遮熱シート３１Ｂ、３１Ｃを予め用意しておき、小面積の遮熱シート３１Ａを構造材の３面に巻き掛けた後に、大面積の遮熱シート３１Ｂ、３１Ｃの下端部及び上端部を構造材の側面部分において、小面積の遮熱シート３１Ａの端部に接着テープ、釘又は鋲等の固定具Ｐを用いて固着するという方法を採用することもできる。
【００３９】
実施例２に係る断熱壁構造は、構造材の３面に遮熱シート３１を巻き掛けたので、断熱壁構造を構成する構造材の全体を遮熱シート３１で覆うことができ、建造物１の遮熱効果をより一層高めることができる。
【００４０】
〈実施例３〉
次に、実施例３に係る建造物１の断熱壁構造について説明する。
【００４１】
実施例３に係る建造物１の外皮面を構成する断熱壁構造は、図８及び図９に示すように、構造材に張り付けられるか又は巻き掛けられた遮熱シート３１の屋外側及び／又は屋内側に、空気層５１を介して第２の遮熱シート５２を配置したことを特徴とする。
【００４２】
即ち、図８に示すように、実施例３に係る外側壁３０Ａは、土台１１の外面と軒桁１４の外面（図示省略）とに巻き掛けられた遮熱シート３１の屋外側に、空気層５１を介して第２の遮熱シート５２が配置されている。また、図９に示すように、実施例３に係る天井壁３０Ｂは、図示しない棟木と母屋とに巻き掛けられた遮熱シート３１の屋内側に、空気層５１を介して第２の遮熱シート５２が配置されている。その他の部分については、実施例２に係る断熱壁構造と同じであるので、対応する部分に同一の符号を付して説明を省略する。
【００４３】
実施例３に係る断熱壁構造は、壁構造に２重の遮熱密閉空気層４０が形成されるので、建造物１の遮熱効果をより一層高めることができる。
【００４４】
〈実施例４〉
次に、実施例４に係る建造物１の断熱壁構造について説明する。
【００４５】
実施例４に係る建造物１の外皮面を構成する断熱壁構造は、図１０に示すように、外側壁を構成する土台１１、軒桁１４及びこれらの構造材に張り付けられるか巻き掛けられた遮熱シート３１からなる断熱壁構造の屋外側に、他の所定の構造材６１及び当該所定の構造材６１に張り付けられるか巻き掛けられた遮熱シート３１からなる他の複数（図１０の例では、４列）の断熱壁構造を、それぞれ隣接する断熱壁構造との間に通気層６２を介して並列に配置したことを特徴とする。
【００４６】
実施例４に係る断熱壁構造は、複数の断熱壁構造が積層された構造になっているので、建造物１の遮熱効果をより一層高めることができる。
【００４７】
なお、上述の実施形態においては、屋根裏スペース２３を有する一階建ての在来木造構造躯体からなる一般住宅を例にとって説明したが、本発明の要旨はこれに限定されるものではなく、他の骨組み構造を有する一般住宅、一般ビル、マンション、学校、病院、公民館、会社、工場、駅舎など、人が利用する全ての建造物に適用することができる。
【００４８】
また、上述した実施例１〜４に係る断熱壁構造は、適宜組み合わせることにより、１棟の建造物を建造することも勿論可能である。
【符号の説明】
【００４９】
１…建造物、２…砕石層、３…遮熱シート、４…基礎コンクリート、５…基礎断熱シート、１１…土台、１２…柱、１３…胴差し、１４…軒桁、１５…根太、１６…構造用合板、１７…フローリング材、１８…桟木、１９…天井板、２０…換気孔、２１…床材取付材、２２…フローリング材、２３…屋根裏スペース、２４…階段、２５…野地板、２６…屋根材、３０Ａ…外側壁、３０Ｂ…天井壁、３１…遮熱シート、３１Ａ…小面積の遮熱シート、３１Ｂ、３１Ｃ…大面積の遮熱シート、３１１（３１１ａ、３１１ｂ、３１１ｃ）…ベース材、３１２…反射層、３２…通気層、３３…外壁材、３４…通気層、３５…内壁材、３６…通気層、４０…遮熱密閉空気層、４１…換気窓、４２…換気扇、５１…空気層、５２…第２の遮熱シート、６１…他の構造材、６２…通気層。
【図１】
2018123557.tif 000003
【図２】
2018123557.tif 000004
【図３】
2018123557.tif 000005
【図４】
2018123557.tif 000006
【図５】
2018123557.tif 000007
【図６】
2018123557.tif 000008
【図７】
2018123557.tif 000009
【図８】
2018123557.tif 000010
【図９】
2018123557.tif 000011
【図１０】
2018123557.tif 000012
【手続補正書】
【提出日】平成30年1月15日(2018.1.15)
【手続補正１】
【補正対象書類名】明細書
【補正対象項目名】０００８
【補正方法】変更
【補正の内容】
【０００８】
このような従来技術の課題を解決するため、本発明の一態様は、各種の構造材の組み合わせにより構成される外皮面である施工対象壁に、電磁波の反射層を有する遮熱シートを張り付けてなる建造物の断熱壁構造において、前記施工対象壁を構成する各種の構造材のうち、前記施工対象壁の最も外側に配置される２つの構造材に前記遮熱シートを巻き掛けて、前記最も外側に配置される２つの構造材間における屋外側の面及び屋内側の面を前記遮熱シートで覆い、前記遮熱シートで囲まれる空間を、熱の対流及び伝導を抑制する遮熱密閉空気層としたことを特徴とする。
【手続補正２】
【補正対象書類名】特許請求の範囲
【補正対象項目名】全文
【補正方法】変更
【補正の内容】
【特許請求の範囲】
【請求項１】
各種の構造材の組み合わせにより構成される外皮面である施工対象壁に、電磁波の反射層を有する遮熱シートを張り付けてなる建造物の断熱壁構造において、
前記施工対象壁を構成する各種の構造材のうち、前記施工対象壁の最も外側に配置される２つの構造材に前記遮熱シートを巻き掛けて、前記最も外側に配置される２つの構造材間における屋外側の面及び屋内側の面を前記遮熱シートで覆い、前記遮熱シートで囲まれる空間を、熱の対流及び伝導を抑制する遮熱密閉空気層としたことを特徴とする建造物の断熱壁構造。
【請求項２】
前記施工対象壁を構成する外壁材と前記遮熱シートとの間、及び、前記施工対象壁を構成する内壁材と前記遮熱シートとの間に、通気層を形成したことを特徴とする請求項１に記載の建造物の断熱壁構造。
【請求項３】
前記施工対象壁を構成する前記外壁材と前記内壁材との間に、それぞれ通気層を介して複数の前記遮熱密閉空気層を並列に配置したことを特徴とする請求項２に記載の建造物の断熱壁構造。
【請求項４】
前記遮熱シートは、プラスチック製のベース材の少なくとも片面に、前記反射層としてアルミニウム箔を積層したものであることを特徴とする請求項１乃至請求項３のいずれか１項に記載の建造物の断熱壁構造。
【請求項５】
前記遮熱シートを構成する前記プラスチック製のベース材は、前記施工対象壁の断熱性能を高めるための発泡プラスチックシートと、前記反射層であるアルミニウム箔の平滑性を高めるための平滑プラスチックシートとの積層体からなることを特徴とする請求項４に記載の建造物の断熱壁構造。
【請求項６】
各種の構造材の組み合わせにより構成される外皮面である施工対象壁に、電磁波の反射層を有する遮熱シートを張り付けてなる断熱壁構造を備えた建造物において、
前記断熱壁構造は、前記施工対象壁を構成する各種の構造材のうち、前記施工対象壁の最も外側に配置される２つの構造材に前記遮熱シートが巻き掛けられて、前記最も外側に配置される２つの構造材間における屋外側の面及び屋内側の面が前記遮熱シートで覆われており、前記遮熱シートで囲まれる空間が、熱の対流及び伝導を抑制する遮熱密閉空気層となっていることを特徴とする断熱壁構造を備えた建造物。
【請求項７】
前記施工対象壁を構成する外壁材と前記遮熱シートを構成する前記反射層との間、及び前記施工対象壁を構成する内壁材と前記遮熱シートを構成する前記反射層との間に通気層を形成すると共に、前記通気層内の空気を建造物の外部に排出する換気窓又は換気扇を備えたことを特徴とする請求項６に記載の断熱壁構造を備えた建造物。
【手続補正書】
【提出日】平成30年5月7日(2018.5.7)
【手続補正１】
【補正対象書類名】明細書
【補正対象項目名】０００８
【補正方法】変更
【補正の内容】
【０００８】
このような従来技術の課題を解決するため、本発明の一態様は、各種の構造材の組み合わせにより構成される外皮面である施工対象壁に、電磁波の反射層を有する遮熱シートを張り付けてなる建造物の断熱壁構造において、前記施工対象壁を構成する各種の構造材のうち、外側壁については土台と軒桁又は土台と胴差しに前記遮熱シートを巻き掛けると共に、天井壁については棟木と母屋に前記遮熱シートを巻き掛けて、前記遮熱シートが巻き掛けられる前記土台と前記軒桁とが向い合う面を除く３面並びに前記土台と前記軒桁との間における屋外側の面及び屋内側の面の全体、又は、前記土台と前記胴差しとが向い合う面を除く３面並びに前記土台と前記胴差しとの間における屋外側の面及び屋内側の面の全体、及び、前記棟木と前記母屋とが向い合う面を除く３面並びに前記棟木と前記母屋との間における屋外側の面及び屋内側の面の全体を前記遮熱シートで覆い、前記遮熱シートで囲まれる空間を、熱の対流及び伝導を抑制する遮熱密閉空気層としたことを特徴とする。
【手続補正２】
【補正対象書類名】特許請求の範囲
【補正対象項目名】全文
【補正方法】変更
【補正の内容】
【特許請求の範囲】
【請求項１】
各種の構造材の組み合わせにより構成される外皮面である施工対象壁に、電磁波の反射層を有する遮熱シートを張り付けてなる建造物の断熱壁構造において、
前記施工対象壁を構成する各種の構造材のうち、外側壁については土台と軒桁又は土台と胴差しに前記遮熱シートを巻き掛けると共に、天井壁については棟木と母屋に前記遮熱シートを巻き掛けて、前記遮熱シートが巻き掛けられる前記土台と前記軒桁とが向い合う面を除く３面並びに前記土台と前記軒桁との間における屋外側の面及び屋内側の面の全体、又は、前記土台と前記胴差しとが向い合う面を除く３面並びに前記土台と前記胴差しとの間における屋外側の面及び屋内側の面の全体、及び、前記棟木と前記母屋とが向い合う面を除く３面並びに前記棟木と前記母屋との間における屋外側の面及び屋内側の面の全体を前記遮熱シートで覆い、前記遮熱シートで囲まれる空間を、熱の対流及び伝導を抑制する遮熱密閉空気層としたことを特徴とする建造物の断熱壁構造。
【請求項２】
前記施工対象壁を構成する外壁材と前記遮熱シートとの間、及び、前記施工対象壁を構成する内壁材と前記遮熱シートとの間に、通気層を形成したことを特徴とする請求項１に記載の建造物の断熱壁構造。
【請求項３】
前記施工対象壁を構成する前記外壁材と前記内壁材との間に、それぞれ通気層を介して複数の前記遮熱密閉空気層を並列に配置したことを特徴とする請求項２に記載の建造物の断熱壁構造。
【請求項４】
前記遮熱シートは、プラスチック製のベース材の少なくとも片面に、前記反射層としてアルミニウム箔を積層したものであることを特徴とする請求項１乃至請求項３のいずれか１項に記載の建造物の断熱壁構造。
【請求項５】
前記遮熱シートを構成する前記プラスチック製のベース材は、前記施工対象壁の断熱性能を高めるための発泡プラスチックシートと、前記反射層であるアルミニウム箔の平滑性を高めるための平滑プラスチックシートとの積層体からなることを特徴とする請求項４に記載の建造物の断熱壁構造。
【請求項６】
各種の構造材の組み合わせにより構成される外皮面である施工対象壁に、電磁波の反射層を有する遮熱シートを張り付けてなる断熱壁構造を備えた建造物において、
前記断熱壁構造は、前記施工対象壁を構成する各種の構造材のうち、外側壁については土台と軒桁又は土台と胴差しに前記遮熱シートが巻き掛けられると共に、天井壁については棟木と母屋に前記遮熱シートが巻き掛けられて、前記遮熱シートが巻き掛けられる前記土台と前記軒桁とが向かい合う面を除く３面並びに前記土台と前記軒桁との間における屋外側の面及び屋内側の面の全体、又は、前記土台と前記胴差しとが向い合う面を除く３面並びに前記土台と前記胴差しとの間における屋外側の面及び屋内側の面の全体、及び、前記棟木と前記母屋とが向い合う面を除く３面並びに前記棟木と前記母屋との間における屋外側の面及び屋内側の面の全体を前記遮熱シートで覆われており、前記遮熱シートで囲まれる空間が、熱の対流及び伝導を抑制する遮熱密閉空気層となっていることを特徴とする断熱壁構造を備えた建造物。
【請求項７】
前記施工対象壁を構成する外壁材と前記遮熱シートを構成する前記反射層との間、及び前記施工対象壁を構成する内壁材と前記遮熱シートを構成する前記反射層との間に通気層を形成すると共に、前記通気層内の空気を建造物の外部に排出する換気窓又は換気扇を備えたことを特徴とする請求項６に記載の断熱壁構造を備えた建造物。